(57)【要約】　　　（修正有）【課題】従来の床置き用のペット用クーリングマットが放熱しにくい欠点を改善したペット用クーリングマットの提供。【解決手段】底座の上表面にリブ２１を凸設してマット本体４０を載置させ、底座２０とマット本体の間に上部空間を形成し、底座の底面はリブを周辺の突出するリムに連接させて床と接触させ、その他の中間部分は僅かに凹んだ下部空間とし、固定枠３０を組み合わせて固定枠の限位凸縁でマット本体を組合せ、並びに固定枠と底座を対応結合させてなる。マットと地面の間に上部空間と下部空間の間隙を設けて放熱を補助する空間を形成し、ペットが快適に横たわれる空間を提供し、並びにマット周囲のばりがペットを傷つけるのを防止する。【選択図】　　　　図３
0003097134.tif 000002
【実用新案登録請求の範囲】
【請求項１】
マット本体を載置する底座に固定枠が対応結合されてマット本体の周縁を限位し、該底座の上表面にリブが凸設されてマット本体を載置し、マット本体との間に上部空間を形成し、底座の底面においてリブが周辺の突出するリムに連接されて床との接触に供され、底面のその他の中間部分が僅かに凹んで下部空間を形成し、固定框の限位凸縁が組み合わされてマット本体が位置決めされ、並びに底座と対応結合され、マット本体と床の間に上部空間と下部空間が形成されて放熱補助の空間が形成されたことを特徴とするペット用クーリングマット。
【請求項２】
請求項１記載のペット用クーリングマットにおいて、底座に上部空間との下部空間を連通させる少なくとも一つの貫通孔が設けられたことを特徴とする、ペット用クーリングマット。
【請求項３】
請求項１記載のペット用クーリングマットにおいて、固定枠の下表面に環状に限位凸縁が設けられ、該限位凸縁に囲まれた部分がマット本体と相似の形状とされてマット本体を囲んで限位することを特徴とする、ペット用クーリングマット。
【請求項４】
請求項３記載のペット用クーリングマットにおいて、固定枠の限位凸縁より下向きに少なくとも二つの挿入柱が凸設され、並びに底座表面の挿入孔と対応し、挿入柱と挿入孔の挿嵌により固定枠と底座が結合されたことを特徴とする、ペット用クーリングマット。
【考案の詳細な説明】
【０００１】
【考案の属する技術分野】
本考案は一種のペット用クーリングマットに係り、特にペットの放熱を補助すると共に、マット周囲のばりがペットを傷つけるのを防止したペット用クーリングマットに関する。
【０００２】
【従来の技術】
図１は周知のペット用クーリングマットの斜視図である。このマット１０はアルミ片状構造とされ、使用時には床に平らに置かれ、床の上に、ペットが横たわれる空間を提供する。
【０００３】
また、寒帯動物が熱帯地域或いは亜熱帯地域に連れてこられて、気温に適応できない時、このような良好な放熱材料で形成されたクーリングマットにより、ペットが横たわる時にその放熱を補助することができる。
【０００４】
【考案が解決しようとする課題】
以上に述べた従来のペット用クーリングマットは、使用時に床に平らに置かれ、床との間が緊密に接触するため、空気を対流させて放熱するための空間がなく、放熱効率が良好な材料で形成されているにも関わらず、その効果は非常に有限である。ゆえに、放熱対流空間の欠乏がその最大の欠点である。
【０００５】
このほか、マット１０は、外周に製造時に鋭利なばりが発生し、それを被覆する構造がなく直接外部に露出するため、ペットを傷つけやすい。これが第２の欠点である。
【０００６】
ゆえにいかに上述の従来のペット用クーリングマットの放熱空間欠乏の欠点を改良するかが、本考案の解決する問題である。
【０００７】
本考案の主要な目的は、一種のペット用クーリングマットを提供することにあり、それは、使用時にマットと地面の間に適当な放熱空間が画定され、これによりマットの放熱対流効率が高められたものとする。
【０００８】
本考案の次の目的は、一種のペット用クーリングマットを提供することにあり、それは、マットの周縁に被覆保護手段が設けられ、周縁のばりがペットを傷つけるのを防止して安全効果を高めたものとする。
【０００９】
【課題を解決するための手段】
請求項１の考案は、マット本体を載置する底座に固定枠が対応結合されてマット本体の周縁を限位し、該底座の上表面にリブが凸設されてマット本体を載置し、マット本体との間に上部空間を形成し、底座の底面においてリブが周辺の突出するリムに連接されて床との接触に供され、底面のその他の中間部分が僅かに凹んで下部空間を形成し、固定框の限位凸縁が組み合わされてマット本体が位置決めされ、並びに底座と対応結合され、マット本体と床の間に上部空間と下部空間が形成されて放熱補助の空間が形成されたことを特徴とするペット用クーリングマットとしている。
請求項２の考案は、請求項１記載のペット用クーリングマットにおいて、底座に上部空間との下部空間を連通させる少なくとも一つの貫通孔が設けられたことを特徴とする、ペット用クーリングマットとしている。
請求項３の考案は、請求項１記載のペット用クーリングマットにおいて、固定枠の下表面に環状に限位凸縁が設けられ、該限位凸縁に囲まれた部分がマット本体と相似の形状とされてマット本体を囲んで限位することを特徴とする、ペット用クーリングマットとしている。
請求項４の考案は、請求項３記載のペット用クーリングマットにおいて、固定枠の限位凸縁より下向きに少なくとも二つの挿入柱が凸設され、並びに底座表面の挿入孔と対応し、挿入柱と挿入孔の挿嵌により固定枠と底座が結合されたことを特徴とする、ペット用クーリングマットとしている。
【００１０】
【考案の実施の形態】
本考案は、底座、マット本体及び固定枠を具え、固定枠の限位凸縁がマット本体の取り付けに供され、さらに固定枠とマット本体が下向きに底座と閉じ合わされ、固定枠の限位凸縁底縁に凸設された挿入柱が底座表面の挿入孔に対応挿入されて組み合わされ、且つ該底座表面がリブでマット本体を支持し、該底座表面とマット本体の間に適当な上部空間を形成し、その底面にあってリブで周辺の突出するリムが連接され、該リムで床の上に支持され、その他の中間部分が僅かに凹んで下部空間が形成され、この構造によりマットと地面の間に放熱対流を加速する空間が形成され、及び、マット周囲のばりがペットを傷つけるのを防止する。
【００１１】
【実施例】
図２、３、４は本考案の具体的実施例を示す。本考案は底座２０と固定枠３０が対応するよう組み合わされて、マット本体４０を載置し結合固定されてなる。
【００１２】
底座２０は、その上表面にリブ２１が凸設され、該リブ２１は周縁に沿って環状に設けられた複数の環形リブ２１１と中央の交叉リブ２１２で組成され、マット本体４０を支持し、該底座２０の表面とマット本体４０の間に適当な上部空間２７が形成され、該底座２０の上表面に少なくとも一つの貫通孔２３が設けられ、且つ周縁内側に沿った表面に少なくとも二つの挿入孔２４が設けられている。該底座２０の底面にはリブ２５が凸設されて周辺の突出リム２６と連接されて、床との接触支持に供され、その他の中間部分は僅かに凹んで下部空間２８が形成されている。
【００１３】
固定枠３０は、その下表面に環状に限位凸縁３１が設けられ、並びに限位凸縁３１で囲まれてマット本体４０と相似形状をなし、これによりマット本体４０の限位を行ない、また限位凸縁３１の底縁より下向きに少なくとも二つの挿入柱３２が設けられて底座２０の表面に凹設された挿入孔２４に対応挿嵌され、これにより固定枠３０と底座２０が結合される。
【００１４】
マット本体４０はアルミ片等の金属片体とされる。
【００１５】
以上により、マット本体４０が固定枠３０の限位凸縁３１内に取り付けられ、さらに固定枠３０とマット本体４０が下向きに底座２０に閉じ合わされ、並びに固定枠３０の限位凸縁３１の底縁に凸設された挿入柱３２が底座２０表面の各挿入孔２４に対応挿入され、こうして図５に示される組合せ構造が完成する。
【００１６】
図４、５に示されるように、マット本体４０と固定枠３０の組合せは、固定枠３０の挿入柱３２と底座２０の挿入孔２４の挿入結合により、マット本体４０を限位し結合させる。また、該底座２０表面のリブ２１がマット本体４０を支持し、底座２０表面とマット本体４０の間に適当な上部空間２７が形成されている。底座２０の底面にはリブ２５が凸設されて周辺の突出するリム２６に連接され、床との接触支持に供され、その他の中間部分は僅かに凹んで下部空間２８が形成されている。マット本体４０と床との間に上部空間２７と下部空間２８の間隙があり、放熱を補助する空間が形成され、特に貫通孔２３の位置が上部空間２７と下部空間２８の連通を提供し、これによりさらにペットの熱気の床方向への拡散を加速でき、これは図中に矢印で示されるとおりである。
【００１７】
【考案の効果】
上述の本考案のペット用クーリングマットは、使用時にマットの放熱を加速する空間を提供し、マットの放熱効率を高め、並びにマットの周縁に保護が形成され、周縁のばりがペットを傷つけるのを防止でき、安全効果を有している。
【００１８】
本考案は産業上の利用性と進歩性を有し、且つ本考案は未だいかなる刊行物にも記載されておらず、新規性を有し、実用新案登録の要件を具備している。
【図面の簡単な説明】
【図１】周知のペット用クーリングマットの斜視図である。
【図２】本考案の組合せ斜視図である。
【図３】本考案の分解斜視図である。
【図４】本考案の底座の底面斜視図である。
【図５】本考案の組合せ断面図である。
【符号の説明】
１０　ペット用クーリングマット
２０　底座　　　　　　　　２１　リブ
２１１　環形リブ　　　　　２１２　交叉リブ
２３　貫通孔　　　　　　　２４　挿入孔
２５　リブ　　　　　　　　２６　リム
３０　固定枠　　　　　　　３１　限位凸縁
３２　挿入柱　　　　　　　４０　マット本体
【図１】
0003097134.tif 000003
【図２】
0003097134.tif 000004
【図３】
0003097134.tif 000005
【図４】
0003097134.tif 000006
【図５】
0003097134.tif 000007